(57)【要約】      （修正有）【課題】個人情報保護の観点を考慮して、情報提供にユーザ（商品購入者を含む）の選択権を認め、商品情報を取得する。【解決手段】携帯端末に取得された購入情報を選択する情報選択回路と、携帯端末から送信される購入情報を管理するデータ蓄積サーバとを有している。前記情報選択回路は、購買者の意思に基づく情報に基づいて前記購入情報を選択する。前記データ蓄積サーバは、携帯端末から送信される購入情報を一元管理する。【選択図】図１
2008250538.tif 000002
【特許請求の範囲】
【請求項１】
携帯端末に搭載された非接触型ＩＣを利用して商品購入の代金の支払いを行う際に遣り取りされる購入情報を管理する購入情報管理装置であって、
携帯端末に取得された購入情報を選択する情報選択回路と、
携帯端末から送信される購入情報を管理するデータ蓄積サーバとを有し、
前記情報選択回路は、購買者の意思に基づく情報に基づいて前記購入情報を選択するものであり、
前記データ蓄積サーバは、携帯端末から送信される購入情報を一元管理するものであることを特徴とする購入情報管理装置。
【請求項２】
前記携帯端末は、前記情報選択回路で選択された購入情報を携帯電話網を介して前記データ蓄積サーバに送信するものである、請求項１に記載の購入情報管理装置。
【請求項３】
前記データ蓄積サーバは、データ解析サーバからのアクセスに応じて、前記携帯端末から送信された購入情報にマスキングを施し、支障を来さない購入情報を購入者毎に抽出して、前記データ解析サーバに送信するものである、請求項１に記載の購入情報管理装置。
【請求項４】
前記データ解析サーバは、前記データ蓄積サーバから提供される前記購入情報の内容を査定し、その査定結果に基づいて購入者毎に最適な情報を携帯電話網を介して前記携帯端末端末に送信するものである、請求項３に記載の購入情報管理装置。
【請求項５】
前記データ蓄積サーバは、前記データ解析サーバから独立したものである、請求項３に記載の購入情報管理装置。
【請求項６】
前記データ蓄積サーバは、情報取引オークションサーバからの要求に応じて、前記携帯端末から送信された購入情報にマスキングを施し、支障を来さない購入情報を抽出して、前記データ解析サーバに送信するものであり、
前記情報取引オークションサーバは、アクセスしたデータ解析サーバであって、前記購入情報を落札したデータ解析サーバのみに前記購入情報を送信するものである、請求項１に記載の購入情報管理装置。
【請求項７】
前記データ解析サーバは、前記データ蓄積サーバから提供される前記購入情報の内容を査定し、その査定結果に基づいて購買者毎に最適な情報を携帯電話網を介して前記携帯端末端末に送信するものである、請求項６に記載の購入情報管理装置。
【請求項８】
携帯端末に搭載された非接触型ＩＣを利用して商品購入の代金の支払いを行う際に遣り取りされる購入情報を管理する購入情報管理方法であって、
携帯端末に取得された購入情報であって、かつ購買者が選択した購入情報のみをデータ蓄積サーバに送信し、
前記携帯端末から送信される前記購入情報を前記データ蓄積サーバで一元管理することを特徴とする購入情報管理方法。
【請求項９】
消費者が選択した前記購入情報のみを携帯電話網を介して前記データ蓄積サーバに送信する、請求項８に記載の購入情報管理方法。
【請求項１０】
データ解析サーバからのアクセスに応じて、前記携帯端末から送信された購入情報にマスキングを施し、支障を来さない購入情報を抽出して、前記データ解析サーバに送信する、請求項８に記載の購入情報管理方法。
【請求項１１】
前記データ蓄積サーバから提供される購入情報の内容を査定し、その査定結果に基づいて消費者毎に最適な情報を携帯電話網を介して前記携帯端末端末に送信する、請求項１０に記載の購入情報管理方法。
【請求項１２】
情報取引オークションサーバからの要求に応じて、前記携帯端末から送信された購入情報にマスキングを施し、支障を来さない購入情報を抽出して、前記データ解析サーバに送信し、
アクセスしたデータ解析サーバであって、前記購入情報を落札したデータ解析サーバのみに前記購入情報を送信する、請求項８に記載の購入情報管理方法。
【請求項１３】
前記データ蓄積サーバから提供される前記購入情報の内容を査定し、その査定結果に基づいて購買者毎に最適な情報を携帯電話網を介して前記携帯端末端末に送信するものである、請求項１２に記載の購入情報管理方法。
【請求項１４】
非接触型ＩＣを利用して商品購入の代金の支払いを行う機能を備えた携帯端末を構成するコンピュータに、
携帯端末に取得された購入情報であって、かつ購買者が選択した購入情報のみをデータ蓄積サーバに送信する機能を実行させることを特徴とする購入情報管理プログラム。
【請求項１５】
前記コンピュータに、
消費者が選択した前記購入情報のみを携帯電話網を介して前記データ蓄積サーバに送信する機能を実行させる、請求項１４に記載の購入情報管理プログラム。
【請求項１６】
非接触型ＩＣを搭載した携帯端末からの購入情報を一元管理させるデータ蓄積サーバを構成するコンピュータに、
前記携帯端末から送信される購入者の選択した購入情報のみを管理する機能を実行させることを特徴とする購入情報管理プログラム。
【請求項１７】
前記コンピュータに、
データ解析サーバ或いは情報取引オークションサーバからのアクセスに応じて、前記携帯端末から送信された購入情報にマスキングを施し、支障を来さない購入情報を抽出して、前記データ解析サーバに送信する機能を実行させる、請求項１６に記載の購入情報管理プログラム。
【請求項１８】
データ蓄積サーバから提供される購入情報を処理するデータ解析サーバを構成するコンピュータに、
データ蓄積サーバ或いは情報取引オークションサーバから提供される購入情報の内容を査定し、その査定結果に基づいて消費者毎に最適な情報を携帯電話網を介して前記携帯端末端末に送信する機能を実行させることを特徴とする購入情報管理プログラム。
【請求項１９】
データ蓄積サーバから提供させる購入情報のオークションを行う情報取引サーバを構成するコンピュータに、
複数のデータ解析サーバによるオークションで落札したデータ解析サーバにのみ前記データ蓄積サーバからの購入情報を提供する機能を実行させることを特徴とする購入情報管理プログラム。
【発明の詳細な説明】
【技術分野】
【０００１】
本発明は、携帯端末に搭載された非接触型ＩＣを利用して商品を購買した際の情報を管理する購買情報管理装置及び方法、購買情報管理プログラムに関する。
【背景技術】
【０００２】
携帯端末に搭載される非接触型ＩＣとして、例えばFelica（登録商標）のような非接触型ＩＣが開発されている。非接触型ＩＣは、リーダ・ライタから電磁波を送信し、その電磁波に基づく電磁誘導により電力が供給され、電磁波によりリーダ・ライタとの間に通信を行うものであって、規格化されている。
【０００３】
前記非接触型ＩＣは機能及び記憶容量も拡大され、しかも小型化されているため、最近、非接触型ＩＣを携帯電話や腕時計などに組み込まれ、前記非接触型ＩＣは、電子マネーサービス「Edy」（登録商標）やクレジットカード「eLIO」（登録商標）などに採用されている。
【０００４】
電子マネーサービス「Edy」（登録商標）やクレジットカード「eLIO」（登録商標）などに採用された非接触型ＩＣは、ＰＯＳシステムのリーダ・ライタとの間で通信を行い、電子決済システムでの購入代金の支払いに利用されている。ここで、ＰＯＳシステム（ポスシステム）とはPoint Of Sales Systemであって、商品販売の売上実績を単品単位で集計できるシステムを意味する。
【０００５】
ところで、販売業者にとっては、ＰＯＳシステムは、商品販売の売上実績を単品単位で集計できるものであるから、携帯電話や腕時計などの携帯端末に搭載された非接触型ＩＣを利用して電子決済を行う際に、携帯端末を使用するユーザの属性をも含めて取得できれば、商品販売に必要な情報も取得できれば、商品の販売において優位性を確立できるものである。
【０００６】
そこで、ＣＲＭ（Customer Relationship Management）の考え方を導入し、販売の促進などを図る目的で、商品購入者の属性、例えば、商品と購入者の年齢層、購入量、関連する商品の購入などの情報をＰＯＳシステムのレジを打ち込む際に取得する試みや、携帯端末のユーザ自ら入力し、それらの情報を電子データで取得するなどの試みが下記の特許公報に開示されている。
【特許文献１】特開２００１−３０６８７４号公報
【特許文献２】特開２００２−０７４１３９号公報
【特許文献３】特開２００２−３１８８９４号公報
【特許文献４】特開２００６−１１３９７４号公報
【特許文献５】特開２００６−１９５５５２号公報
【発明の開示】
【発明が解決しようとする課題】
【０００７】
しかしながら、従来の方式、例えばＰＯＳシステムでの情報取得の精度を高めるには、対面ヒアリング等の必要であり、その実施は極めて困難なものである。また、上述した特許公報に開示された技術では、携帯端末のユーザが自らデータを入力しなければならず、しかも、ユーザが入力すべきフォーマットは、販売業者側が提供するものであり、ユーザに情報の選択権がなく、個人情報保護の観点から改良する余地がある。
【０００８】
本発明の目的は、個人情報保護の観点を考慮して、情報提供にユーザ（商品購入者など）の選択権を認め、商品販売に必要な情報を取得・管理する購買情報管理装置及び方法、購買情報管理プログラムを提供することにある。
【課題を解決するための手段】
【０００９】
前記目的を達成するため、本発明に係る購買情報管理装置は、携帯端末に搭載された非接触型ＩＣを利用して商品購入の代金の支払いを行う際に遣り取りされる購入情報を管理する購入情報管理装置であって、
携帯端末に取得された購入情報を選択する情報選択回路と、
携帯端末から送信される購入情報を管理するデータ蓄積サーバとを有し、
前記情報選択回路は、購買者の意思に基づく情報に基づいて前記購入情報を選択するものであり、
前記データ蓄積サーバは、携帯端末から送信される購入情報を一元管理するものであることを特徴とするものである。
【００１０】
以上の説明では、本発明をハードウェアとしての購買情報管理装置として構築したが、これに限られるものではない。本発明は、購買情報管理装置の機能をプログラムによってコンピュータに実行させるソフトウェア、或いは購買情報管理を実行する方法として構築してもよいものである。
【００１１】
本発明に係る購買情報管理プログラムは、非接触型ＩＣを利用して商品購入の代金の支払いを行う機能を備えた携帯端末を構成するコンピュータに、
携帯端末に取得された購入情報であって、かつ購買者が選択した購入情報のみをデータ蓄積サーバに送信する機能を実行させることを特徴とするものである。
【００１２】
本発明に係る購買情報管理プログラムは、非接触型ＩＣを搭載した携帯端末からの購入情報を一元管理させるデータ蓄積サーバを構成するコンピュータに、
前記携帯端末から送信される購入者の選択した購入情報のみを管理する機能を実行させることを特徴とするものである。
【００１３】
本発明に係る購買情報管理プログラムは、データ蓄積サーバから提供される購入情報を処理するデータ解析サーバを構成するコンピュータに、
データ蓄積サーバ或いは情報取引オークションサーバから提供される購入情報の内容を査定し、その査定結果に基づいて消費者毎に最適な情報を携帯電話網を介して前記携帯端末端末に送信する機能を実行させることを特徴とするものである。
【００１４】
本発明に係る購買情報管理プログラムは、データ蓄積サーバから提供させる購入情報のオークションを行う情報取引サーバを構成するコンピュータに、
複数のデータ解析サーバによるオークションで落札したデータ解析サーバにのみ前記データ蓄積サーバからの購入情報を提供する機能を実行させることを特徴とするものである。
【００１５】
本発明に係る購買情報管理方法は、携帯端末に搭載された非接触型ＩＣを利用して商品購入の代金の支払いを行う際に遣り取りされる購入情報を管理する購入情報管理方法であって、
携帯端末に取得された購入情報であって、かつ購買者が選択した購入情報のみをデータ蓄積サーバに送信し、
前記携帯端末から送信される前記購入情報を前記データ蓄積サーバで一元管理することを特徴とするものである。
【発明の効果】
【００１６】
本発明によれば、商品を購入した際の購買情報をユーザの選択に基づいて取得でき、しかも、販売業者とは独立して一元管理することができる。
【発明を実施するための最良の形態】
【００１７】
以下、本発明の実施形態を図に基づいて詳細に説明する。
（実施形態１）
【００１８】
本発明の実施形態１では、携帯端末として非接触型ＩＣを搭載した携帯電話を用いた場合について説明するが、これに限られるものではない。本発明の実施形態１で用いる携帯端末としては、非接触型ＩＣを搭載した腕時計などを用いてもよい。要は、携帯端末としては、非接触型ＩＣを組み込んで携帯でき、かつ非接触型ＩＣのＩＣカード機能を利用して電子決済を行うことが可能であれば、いずれのものであってもよいものである。
【００１９】
本発明の実施形態１に係る購買情報管理装置は図１に示すように、携帯電話１と、データ蓄積サーバ２と、データ解析サーバ３との組み合わせから構成されている。データ蓄積サーバ２とデータ解析サーバ３とは、例えばインターネットなどの通信網４を介して相互に通信を行う。なお、通信網４として、インターネットを例に挙げたが、これに代えてイントラネットを使用してもよい。要は、通信網４としては、データ蓄積サーバ２とデータ解析サーバ３との間で相互通信が可能なものであれば、いずれのものであってもよいものである。
【００２０】
携帯電話１は、電子メールの遣り取り及びインターネット接続機能などの各種の機能を搭載した汎用の携帯電話であり、その具体的構成については、説明を省略する。本発明の実施形態１では、携帯電話１に非接触型ＩＣ５と情報選択回路６とを搭載している。
【００２１】
本発明の実施形態１に用いる非接触型ＩＣ５は、例えばFelica（登録商標）のような非接触型ＩＣであって、リーダ・ライタからの電磁波に基づく電磁誘導により電力の供給を受けて、電磁波によりリーダ・ライタとの間に通信を行う機能を有するものである。
【００２２】
さらに、本発明の実施形態１に用いる非接触型ＩＣ５は、電子マネーサービス「Edy」（登録商標）やクレジットカード「eLIO」（登録商標）などの電子決済に用いられるＩＣカード機能と、購入情報を取得し記憶する機能とを少なくとも有している。
【００２３】
したがって、ユーザは、本発明の実施形態１における携帯電話１に搭載した非接触型ＩＣ５のＩＣカード機能を利用して、ＰＯＳ（Point Of Sales System）システム７（特に、情報配信対応型レジ）のリーダー・ライタとの間に情報の遣り取りを行い、ＰＯＳシステム７からの商品購入に関する情報の取得、電子決済による購入商品の購入代金の支払いなどの機能を実行する。
【００２４】
本発明の実施形態１における携帯電話１の非接触型ＩＣ５は、ＰＯＳシステム７から購入情報を取得するためにリーダ・ライタを組み込んであり、ユーザが非接触型ＩＣ５のＩＣカード機能を利用することで購入代金の支払いを電子決済したことを検知して、ＰＯＳシステムの情報配信型レジ７から購入情報を取得する。ユーザが電子決済を行う場合、携帯電話１のキーボタンを押釦するから、非接触型ＩＣ５は、前記キーボタンの接点が閉じられたことを電気的に検出して前記リーダ・ライタを起動し、ＰＯＳシステム（特に、情報配信型レジ）７から購入情報を取得する。なお、前記リーダ・ライタを組み込んだ非接触型ＩＣ５は、実用化されており、上述した非接触型ＩＣのＩＣカード機能とリーダ・ライタとに本発明の特徴はなく、その詳細な説明は省略する。
【００２５】
携帯電話１の情報選択回路６は、ＰＯＳシステム７の情報配信型レジから取得した商品購入に関する情報、非接触型ＩＣ５のＩＣカード機能に含まれる個人情報を管理し、ユーザがキーボタンの操作によって選択した購入情報を前記管理情報から抽出する。ユーザによって選択された購入情報は、携帯電話１の通信機能を使って携帯電話網１２を介してデータ蓄積サーバ２に送信される。携帯電話１からデータ蓄積サーバ２に送信される購入情報は、ユーザ自ら選択した情報であって、外部に送信することをユーザ自ら判断した情報であり、個人情報を保護する観点から特に問題がないものである。何故ならば、ユーザの個人情報は、ユーザの意思に基づいて管理され、選択された情報のみが開示されるからである。前記購入情報には、商品を購買した購入者に関する情報、購入した商品情報などが含まれる。
【００２６】
データ蓄積サーバ２は、ＰＯＳシステム７を導入して商品の販売を担当する販売業者の管理するデータ解析サーバ３から独立した構成になっており、販売業者の管理する店舗で商品を購入した複数人の購買者がそれぞれ所有する携帯電話１から送信される前記購入情報を一元管理する。
【００２７】
データ蓄積サーバ２は、販売業者の管理するデータ解析サーバ３から独立しており、販売業者の管理する店舗で商品を購入した複数台の携帯電話１から送信される情報を一元管理するものであるから、データ蓄積サーバ２を販売業界から独立した第三者機関が管理することにより、携帯電話１から取得した個人情報及び商品購入の情報などの購入情報が外部に漏洩することを防止する。また、データ蓄積サーバ２は、例えばデータ解析サーバ３、或いは後述する情報取引オークションサーバのように特定のサーバからのみのアクセスを許可することで、購入情報の漏洩を防止する。データ蓄積サーバ２に組み込む個人情報などの購入情報の漏洩防止技術には、汎用の技術を適用する。この情報漏洩の技術に本発明の特徴がないため、その詳細については省略する。
【００２８】
データ蓄積サーバ２はコンピュータから構成されており、通信回路８と、記憶部９と、情報管理部１１とを含んでいる。通信回路８は、携帯電話網１２を介して携帯電話１からの情報を受信し、その情報を記憶部９に受け渡し、かつ、情報管理部１１から出力される情報を通信網４に送信する。記憶部９は、携帯電話１から提供されるユーザの個人情報，購入商品の情報などを含む購入情報を記憶する。記憶部９には、その記憶領域に個人情報蓄積データベース１０の領域が確保され、個人情報蓄積データベース１０には、携帯電話１から送信される購入情報（ユーザの個人情報及び購入商品の情報を含む）がテーブル形式で記憶される。
【００２９】
記憶部９には、キーボードなどの入力装置により、個人属性，解析方法、情報配信設定などの各種情報が入力され、記憶部９は、これらの情報を記憶する。前記各種情報のうち、個人属性の情報は、購入情報を提供してくれる携帯電話１の所有者である購入者の属性に関するもの、例えば、性別，生年月日，住所，購買商品名，購買商品の型番，購入時期及び時間などのように商品購入者及び購入品目を特定可能な属性に関する情報である。前記解析方法に関する情報は、携帯電話１から提供される購入情報にマスキングを施し、外部に提供して支障のない内容の購入情報を抽出するための情報である。外部に提供して支障のない情報としては、購買者の性別，購買者の年齢層，購買商品名，購買商品の型番，購入時期及び時間などの情報が考えられる。情報配信設定の情報は、データ解析サーバ３からの要求などに応じて、解析方法に基づいて抽出した前記購入情報から配信すべき情報を設定するための情報である。
【００３０】
情報管理部１１は、記憶部９に記憶されている、個人属性，解析方法及び情報配信設定の情報を読み出し、データ解析サーバ３からの要求などに応じて、解析方法に基づいて抽出した前記情報から配信すべき購入情報を設定し、その購入情報を通信回路８に受け渡す。
【００３１】
データ解析サーバ３は、データ蓄積サーバ２へのアクセス権を有する販売業者が管理するサーバであり、データ蓄積サーバ２にアクセスすることで、販売業者の店舗で商品の購入を行ったユーザの個人情報及び商品購入の情報などの購入情報のみをデータ蓄積サーバ２から提供される。データ解析サーバ３はコンピュータから構成され、通信回路１３と、記憶部１４と、査定回路１５とを含んでいる。
【００３２】
通信回路１３は、通信網４を介してデータ蓄積サーバ２からの購入情報を受信し、その購入情報を記憶部１４に受け渡す。記憶部１４には、その記憶領域に情報データベース１６の領域が確保され、情報データベース１６には、データ蓄積サーバ２から送信される購入情報がユーザ毎に対応させてテーブル形式で記憶される。また、記憶部１４の情報データベース１６には、携帯電話１の所有者である購入者に提供する最適情報が記憶されている。
【００３３】
査定回路１５は、記憶部１４の情報データベース１６に記憶されている個人情報と購入商品情報などの購入情報を購入者毎にそれぞれ読み出し、かつ情報データベース１６に記憶されている最適情報を読み出し、購入者が提供した個人情報及び購入商品情報などの購入情報の内容を査定し、その査定結果に応じて購入者に提供する最適情報を選定する。査定回路１５は、選定した最適情報を通信回路１３に送信する。通信回路１３は、査定回路１５からの情報を携帯電話網１２を介して携帯電話１に送信する。
【００３４】
データ解析サーバ３からユーザに提供される最適情報としては、購入者の年代層が購入を希望する商品情報、特売商品の情報、或いは情報を提供したことに対する対価となる次の購入時の割引きポイント、貯めることにより希望する商品と交換可能なポイントなどの情報が設定される。要は、データ解析サーバ３からユーザに提供される最適情報としては、ユーザが携帯電話１に搭載された非接触型ＩＣのＩＣカード機能を利用して次の商品購入の動機付けが行われるような内容であれば、いずれのものであってもよいものである。ここに、非接触型ＩＣ１のＩＣカード機能は上述したように、電子マネーサービス「Edy」（登録商標）やクレジットカード「eLIO」（登録商標）などの電子決済に用いられるＩＣカード機能を意味する。
【００３５】
通信回路１３から送信される情報には、携帯電話１の表示部で閲覧可能な情報量の情報に加えて、情報量の多い情報も含まれる場合もある。また、購入者によっては、データ解析サーバ３から送信される情報を携帯電話１以外の情報処理装置、例えば家庭にセットしたデイスクトップ型コンピュータ、或いはノート型コンピュータなどで閲覧を希望する場合もある。これらの要求に応じるため、通信網４に接続したパーソナルコンピュータ１７を装備し、パーソナルコンピュータ１７を使って、データ解析サーバ３から送信される最適情報を閲覧するようにしてもよいものである。
【００３６】
次に、本発明の実施形態１に係る購買情報管理装置を用いて購買情報を管理する場合を図２に基づいて説明する。
【００３７】
運用を開始する前段階において、データ蓄積サーバ２を管理する管理者は、キーボードなどの入力装置により、個人属性，解析方法、情報配信設定などの各種情報を入力し、これらの情報を記憶部９に記憶させる（図２のステップＳ１）。前記情報の入力が完了した時点から購買情報管理装置による購買情報の管理が運用される。
【００３８】
携帯電話１の所有者である購買者は、携帯電話１に組み込まれた非接触型ＩＣ５を使って商品購入代金を電子マネー等での電子決済を行う（図２のステップＳ２）。
【００３９】
購買者が電子決済を行う旨の連絡は、ＰＯＳシステム７を通して図示しないクレジット会社などの電子決済会社に送信され、その電子決済会社での審査が行われ、その審査にパスすると、決済開始メールが携帯電話１にＰＯＳシステム７を通して通信される（図２のステップＳ３）。なお、この場合、購買者が電子決済を行う旨の連絡は、ＰＯＳシステム７を介さずに、直接電子決済会社に送信してもよく、決済開始メールは、ＰＯＳシステム７を介さずに直接図示しない電子決済会社のサーバから携帯電話１に送信するようにしてもよいものである。
【００４０】
購買者は、決済開始メールが携帯電話１に届いた場合、決済開始メールで連絡された電子決済の内容を確認し、最終的に電子決済での支払いを開始する場合には、携帯電話１から支払いの実行を意思表示を電子決済会社にＰＯＳシステム７を介して或いは直接に行う（図２のステップＳ４）。
【００４１】
電子決済が完了すると、決済完了メールが電子決済会社から直接、或いはＰＯＳシステム７を介して購買者の携帯電話２に届く（図２のステップＳ５）。
【００４２】
購買者は、決済完了メールが携帯電話１に届くと、ＰＯＳシステム７から商品の購入情報を非接触型ＩＣ５に取り込む（図２のステップＳ６）。
【００４３】
購買者がＰＯＳシステム７から商品強入の情報を携帯電話１の非接触型ＩＣ５に取り込むと、携帯電話１の情報選択回路６が起動する（図２のステップＳ７）。
【００４４】
携帯電話１の情報選択回路６は、ＰＯＳシステム７から取得した購入情報、及び非接触型ＩＣ５のＩＣカード機能に含まれる個人情報を含む購入情報を管理し、これらの情報を携帯電話１の表示部に表示する。
【００４５】
購入者は、携帯電話１の表示部に表示された情報のうち、提供してよいと思う情報携帯電話１のキーボタンの操作によって選択する。携帯電話１の情報選択回路６は、購入者が選択した情報のみを抽出し、図示しない携帯電話１の通信回路から携帯電話網１２を介してデータ蓄積サーバ２に送信する（図２のステップＳ８）。
【００４６】
データ蓄積サーバ２の通信回路８は、携帯電話１から購入者の個人情報及び購入情報等を含む購入情報を受け取ると、それらの情報を記憶部９に送信する。記憶部９は、個人情報蓄積データベース１０に、携帯電話１から送信される購入情報（ユーザの個人情報及び購入商品の情報を含む）をテーブル形式で記憶する。
【００４７】
情報管理部１１は、記憶部９に記憶されている、個人属性，解析方法及び情報配信設定の情報を読み出し、データ解析サーバ３からの要求などに応じて、解析方法に基づいて抽出した前記情報から配信すべき購入情報を設定し、その購入情報を通信回路８に受け渡す。通信回路８は、アクセス権を有するデータ解析サーバ３がアクセスすると、情報管理部１１からの購入情報をデータ解析サーバ３に通信網４を介して送信する。
【００４８】
データ解析サーバ３は、データ蓄積サーバ２にアクセスすることで、販売業者の店舗で商品の購入を行ったユーザの個人情報及び商品購入の情報のみをデータ蓄積サーバ２から提供される。
【００４９】
査定回路１５は、記憶部１４の情報データベース１６に記憶されている個人情報と購入商品情報などの購入情報を購買者毎にそれぞれ読み出し、かつ情報データベース１６に記憶されている最適情報を読み出し、購買者が提供した個人情報及び購入商品情報などの購入情報の内容を査定し、その査定結果に応じて購買者に提供する最適情報を選定する（図２のステップＳ１０）。査定回路１５は、選定した最適情報を通信回路１３に送信する。通信回路１３は、査定回路１５からの情報を携帯電話網１２を介して携帯電話１に送信する（図２のステップＳ１１）。
【００５０】
購買者は、データ解析サーバ３から購買者に提供される最適情報を携帯電話１、或いはパーソナルコンピュータ１７によって、配信された最適情報を確認する。
【００５１】
本発明の実施形態１によれば、携帯電話１に搭載された非接触型ＩＣ５により商品を購入した際に購買情報を取り込み、ユーザが選択した情報をデータ蓄積サーバに一元管理するため、ユーザが希望しない情報がデータ蓄積サーバに提供されることはなく、商品購入に関する情報が外部に漏洩することを防止できる。
【００５２】
本発明の実施形態１によれば、個人情報を含む購入情報を販売事業者に提供することで、対価として各個人に最適な情報、例えば対価などが提供されることとなる。また、電子マネーなどの電子決済の利用価値が高まり、携帯電話向け電子マネーなどの電子決済の普及，利用を促進することができる。また、データ蓄積サーバで購入情報を一元管理することができる。
【００５３】
購買者にとっては、消費行動を自ら認識できるようになり、購買活動への意識を高めることができる。また、購買者個人による物品管理が容易となる。さらに、携帯電話網を利用する機会が増えることとなり、携帯電話網の利用を促進できる。
（実施形態２）
【００５４】
実施形態１におけるデータ蓄積サーバ２は、販売業者の管理するデータ解析サーバ３からの要求に応じて、個人情報を特定のデータ解析サーバ３に提供するようにしたが、これに限られるものではない。データ蓄積サーバ２の保有する情報をオークションにかけて、これをオークションで落札した販売業者のみに提供するようにしてもよいものである。
【００５５】
本発明の実施形態２は、情報取引オークションサーバ１８と、複数のデータ解析サーバ３ａ，３ｂ・・・とを有している。情報取引オークションサーバ１８は、データ蓄積サーバ２にアクセスして、データ蓄積サーバ２から購入情報を受け取る。情報取引オークションサーバ１８がデータ蓄積サーバ２から受け取る購入情報は、実施形態１におけるデータ蓄積サーバ２が処理してデータ解析サーバ３に送信される購入情報と同様のものである。
【００５６】
図４に示す処理の内、ステップＳ１〜Ｓ８までの処理は、図２に示す処理と同様であるので、説明を省略する。
【００５７】
本発明の実施形態２では、情報取引オークションサーバ１８は、データ蓄積サーバ２に対して購買者毎の購入情報（購買者の個人情報及び商品情報を含む）を要求する。データ蓄積サーバ２は、情報取引オークションサーバ１８からの要求を受け付けると、携帯電話１から提供された購入情報にマスキングを施し、外部に送信して支障が生じない購入情報を抽出し、その購入情報を情報取引オークションサーバ１８に送信する（図４のステップＳ１２）。
【００５８】
情報取引オークションサーバ１８は、データ蓄積サーバ２から前記購入情報を受け取ると、オークションに参加するデータ解析サーバ３ａ，３ｂ・・・にメールを送り、オークションに参加する販売業者を募る。
【００５９】
オークションに参加を希望する販売業者は、データ解析サーバ３ａ，３ｂ・・・を使って情報取引オークションサーバ１８上でオークション取引を行う（図４のステップＳ１３）。
【００６０】
情報取引オークションサーバ１８に設定されたオークション条件を満たす入札を行った販売業者のデータ解析サーブ３ａ，３ｂ・・・には、情報取引オークションサーバ１８から前記購入情報が提供される（図４のステップＳ１４）。
【００６１】
落札した販売業者のデータ解析サーバ３ａ又は３ｂは、図１に示すデータ解析サーバ３と同様な処理を行い、最適情報を携帯電話１に提供する（図４のステップＳ１１）。
【００６２】
本発明の実施形態２によれば、情報取引オークションサーバ１８でオークションを行い、落札者のみに購入情報を提供するため、情報取引オークションシステムが最もよい価値と個人情報に与えるマーケティング業者を選択することができる。さらに、購買者が提供する購入情報に対してマーケティング業者の評価が行われ、その評価によって購買者にとって最適な情報が得られ、業者にとっても手軽に細かいマーケティングを実現することができる。
【産業上の利用可能性】
【００６３】
本発明によれば、広告業（個人嗜好情報配信，マーケティング）、小売業（特売情報配信）、金融業（電子マネーの促進ツール）などの広い範囲に応用することができる。
【図面の簡単な説明】
【００６４】
【図１】本発明の実施形態１に係る購買情報管理装置の構成を示すブロック図である。
【図２】本発明の実施形態１に係る購買情報管理装置を用いて購買情報を管理する場合を説明するフローチャートである。
【図３】本発明の実施形態２に係る購買情報管理装置の構成を示すブロック図である。
【図４】本発明の実施形態２に係る購買情報管理装置を用いて購買情報を管理する場合を説明するフローチャートである。
【符号の説明】
【００６５】
１  携帯電話
２  データ蓄積サーバ
３，３ａ，３ｂ  データ解析サーバ
４  通信網
５  非接触型ＩＣ
６  情報選択回路
７  ＰＯＳシステム
１２  携帯電話網
１８  情報取引オークションサーバ
【図１】
2008250538.tif 000003
【図２】
2008250538.tif 000004
【図３】
2008250538.tif 000005
【図４】
2008250538.tif 000006